【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
動画コンテンツを代表する代表画像として、上記動画コンテンツから一部の画像を選出する代表画像選出ステップと、
上記代表画像を表示装置に表示させる表示処理ステップと、
上記代表画像に対応する画像テキスト情報をユーザに入力させる操作入力ステップと、
所定の抽出手法に従って上記代表画像から抽出された代表特徴情報と上記操作入力ステップにおいて入力された上記画像テキスト情報とを対応付けて登録することにより、任意の映像コンテンツから上記抽出手法に従って抽出された画像ごとの任意映像特徴情報を用いて上記任意の映像コンテンツが有する画像に対応する内容文字情報を取得するためのデータベースを生成するデータベース生成ステップと
を具えることを特徴とするデータベース作成方法。
【請求項２】
上記代表画像選出ステップでは、
上記動画コンテンツから上記抽出手法に従って生成された上記代表特徴情報を用いて上記代表画像を選定する
ことを特徴とする請求項１に記載のデータベース作成方法。
【請求項３】
上記代表画像選出ステップでは、
シーンチェンジごとに上記代表画像を選出する
ことを特徴とする請求項１に記載のデータベース作成方法。
【請求項４】
上記データベース生成ステップでは、
上記画像テキスト情報と、上記代表特徴情報を表す代表特徴情報識別子とを対応付けて登録する
ことを特徴とする請求項１に記載のデータベース作成方法。
【請求項５】
上記代表画像選出ステップでは、
上記動画コンテンツから上記抽出方法に従って生成された上記代表特徴情報の全てを所定の記録部に記録すると共に、上記動画特徴情報を用いて上記代表画像を選定する
ことを特徴とする請求項１に記載のデータベース作成方法。
【請求項６】
上記代表画像選出ステップでは、
上記抽出手法に従って上記動画コンテンツから抽出された上記代表特徴情報の全てを所定の記録部に記録すると共に、上記動画特徴情報を用いて上記代表画像を選定し、
上記データベース生成ステップでは、
上記代表特徴情報識別子と上記画像テキスト情報とを上記データベースに登録することにより、上記代表特徴情報と上記画像テキスト情報とを対応付けて登録する
ことを特徴とする請求項１に記載のデータベース生成方法。
【請求項７】
上記動画コンテンツは、
所定の記録部に記録されており、
上記代表画像選出ステップと並行して、上記記録部に記録された上記動画コンテンツを再生する再生ステップ
を具えることを特徴とする請求項１に記載のデータベース作成方法。
【請求項８】
上記表示処理ステップでは、
上記再生ステップが終了すると、上記代表画像を表示装置に表示させる
ことを特徴とする請求項７に記載のデータベース作成方法。
【請求項９】
上記ユーザの要求に応じて、上記ユーザが選定した選定画像に対応する画像テキスト情報をユーザに入力させる任意入力ステップと、
上記抽出手法に従って上記選定画像から抽出された選定特徴情報と上記画像テキスト情報とを対応付けて登録する任意登録ステップと
を具えることを特徴とする請求項７に記載のデータベース作成方法。
【請求項１０】
上記任意登録ステップでは、
上記選定特徴情報として、上記選定画像に対応する上記代表特徴情報を上記記録部から取得する
ことを特徴とする請求項９に記載のデータベース作成方法。
【請求項１１】
上記操作入力ステップでは、
ユーザの操作入力に応じて上記代表画像選出ステップと、上記表示処理ステップと、上記操作入力ステップと、上記データベース生成ステップとからなるデータベース生成処理を中止する
ことを特徴とする請求項１に記載のデータベース作成方法。
【請求項１２】
上記代表特徴情報の抽出は、
上記動画コンテンツの記録処理の際に並行して実行される
ことを特徴とする請求項１に記載のデータベース作成方法。
【請求項１３】
上記代表画像選出ステップでは、
上記動画コンテンツが有する音声データから抽出される音声特徴情報を用いて上記代表画像を選定する
ことを特徴とする請求項１に記載のデータベース作成方法。
【請求項１４】
上記代表画像選出ステップでは、
上記代表特徴情報を用いて上記一部の画像を選定すると共に、上記一部の画像のうち、上記データベースに既に登録されている上記代表特徴情報の抽出元となる上記代表画像と類似しない画像を新たな上記代表画像として選定する
ことを特徴とする請求項１に記載のデータベース作成方法。
【請求項１５】
上記操作入力ステップでは、
ユーザの操作入力に応じて表示中の代表画像についての操作入力ステップと、データベース生成ステップとを省略し、次の代表画像を表示する
ことを特徴とする請求項１に記載のデータベース作成方法。
【請求項１６】
コンピュータに対して、
動画コンテンツを代表する代表画像として、上記動画コンテンツから一部の画像を選出する代表画像選出ステップと、
上記代表画像を表示装置に表示させる表示処理ステップと、
上記代表画像に対応する画像テキスト情報をユーザに入力させる操作入力ステップと、
所定の抽出手法に従って上記代表画像から抽出された代表特徴情報と上記操作入力ステップにおいて入力された上記画像テキスト情報とを対応付けて登録することにより、任意の映像コンテンツから上記抽出手法に従って抽出された画像ごとの任意映像特徴情報を用いて上記任意の映像コンテンツが有する画像に対応する内容文字情報を取得するためのデータベースを生成するデータベース生成ステップと
を実行させることを特徴とするデータベース作成プログラム。
【請求項１７】
動画コンテンツを代表する代表画像として、上記動画コンテンツから一部の画像を選出する代表画像選出部と、
上記代表画像を表示装置に表示させる表示処理部と、
上記代表画像に対応する画像テキスト情報をユーザに入力させる操作入力部と、
所定の抽出手法に従って上記代表画像から抽出された代表特徴情報と上記操作入力ステップにおいて入力された上記画像テキスト情報とを対応付けて登録することにより、任意の映像コンテンツから上記抽出手法に従って抽出された画像ごとの任意映像特徴情報を用いて上記任意の映像コンテンツが有する画像に対応する内容文字情報を取得するためのデータベースを生成するデータベース生成部と
を具えることを特徴とするデータベース作成装置。
【請求項１８】
動画コンテンツを記録する記録部と、
動画コンテンツを代表する代表画像として、上記動画コンテンツから一部の画像を選出する代表画像選出部と、
上記代表画像を表示装置に表示させる表示処理部と、
上記代表画像に対応する画像テキスト情報をユーザに入力させる操作入力部と、
所定の抽出手法に従って上記代表画像から抽出された代表特徴情報と上記操作入力ステップにおいて入力された上記画像テキスト情報とを対応付けて登録することにより、任意の映像コンテンツから上記抽出手法に従って抽出された画像ごとの任意映像特徴情報を用いて上記任意の映像コンテンツが有する画像に対応する内容文字情報を取得するためのデータベースを生成するデータベース生成部と
を具えることを特徴とする映像コンテンツ記録装置。
【手続補正２】
【補正対象書類名】明細書
【補正対象項目名】００３６
【補正方法】変更
【補正の内容】
【００３６】
すなわち画像解析部３１は、再生映像信号ＤＰが供給されると、例えば再生映像信号ＤＰが有する各フレーム画像を５×５の２５の領域に分割し、この領域ごとに輝度信号（Ｙ信号）のＤＣＴ（Discrete Cosine Transform）係数を算出する。そして２５の領域に対応するＤＣＴ係数を２５次のベクトルとして表し、これをフレーム画像単位ごとの再生映像特徴データＤＳとする。
【手続補正３】
【補正対象書類名】明細書
【補正対象項目名】００５８
【補正方法】変更
【補正の内容】
【００５８】
なお、代表画像選出部３３は、再生映像特徴データＤＳのうち、人物や物体のようなテキスト情報に対応しやすい画像に対応する再生映像特徴データＤＳを選出し、この中から代表特徴データＤＳｒを選定するようにすることができる。この場合、代表画像選出部３１は、代表画像５１のうち、人物や物体に相当する領域のみを周囲よりも明るく表示することにより、ユーザに当該人物や物体に対応する内容を入力することを理解させやすくでき、ユーザに代表画像５１の内容を表す画像テキスト情報ＴＸを的確に入力させ得るようになされている。
【手続補正４】
【補正対象書類名】明細書
【補正対象項目名】００６９
【補正方法】変更
【補正の内容】
【００６９】
そして制御部２は、記録処理中の入力撮像データが有する全ての入力映像特徴データＴＳに対して内容文字情報ＴＸｃを取得する一連の処理を終了すると、テキスト取得部６３は、ＲＡＭに一時記録した内容文字情報ＴＸｃのうち、画像テキストデータベース４２から取得された回数の多い順から例えば１０個の内容文字情報ＴＸｃを選定し、図７に示すように、撮像データ管理リスト４３に登録する。
【手続補正５】
【補正対象書類名】明細書
【補正対象項目名】００７３
【補正方法】変更
【補正の内容】
【００７３】
このように、ハードディスクレコーダ１では、撮像データの記録処理の際に、入力映像信号ＴＰから入力映像特徴データＴＳを抽出し、画像テキストデータベース４２に登録された蓄積特徴データＤＳａのうち、この入力映像特徴データＴＳと最も近い最小蓄積特徴データＤＳａｎを特定し、最小蓄積特徴データＤＳａｎに対応する画像テキスト情報ＴＸを入力映像特徴データＴＳの抽出元となるフレーム画像の内容を表す内容文字情報ＴＸｃとして取得すると共に、当該内容文字情報ＴＸｃを記録済撮像データの内容を示唆するタイトル候補テキストＴＩとして登録するようにした。
【手続補正６】
【補正対象書類名】明細書
【補正対象項目名】００９１
【補正方法】変更
【補正の内容】
【００９１】
一方、タイトル付加部６４は、表示されている記録済撮像データに基づいて「富士山」に対応付けられて登録された代表特徴情報識別子Ｔｉｄｒが存在しない場合には、他の記録済撮像データに基づいて「富士山」に対応付けられた一の代表特徴情報識別子Ｔｉｄｒを選択し、この代表特徴情報識別子Ｔｉｄｒが表す蓄積特徴データＤＳａと最も類似する入力映像特徴データＴＳを検出し、検出された入力映像特徴データＴＳの特徴情報識別子Ｔｉｄを特定して撮像データ管理リスト４３のサムネイル欄Ｃｓに登録すると共に、当該代表特徴情報識別子Ｔｉｄｒに対応する画像をサムネイル画像として、サムネイル画像表示領域７１に表示する。
【手続補正７】
【補正対象書類名】明細書
【補正対象項目名】００９７
【補正方法】変更
【補正の内容】
【００９７】
これにより、ハードディスクレコーダ１は、表示されたタイトル候補テキストＴＩの中から選択するだけの簡易な作業で記録済撮像データのタイトルをユーザに決定させることができ、撮像データ管理リスト４３へのタイトルの入力作業を簡易にし得るようになされている。
【手続補正８】
【補正対象書類名】明細書
【補正対象項目名】０１０１
【補正方法】変更
【補正の内容】
【０１０１】
ステップＳＰ３において、制御部２は、例えばシーンチェンジの有無により、供給された再生映像特徴データＤＳが代表特徴データＤＳｒであるか否かについて判別し、否定結果が得られた場合、制御部２は、ステップＳＰ１へ戻り、次の再生映像特徴データＤＳについての処理を開始する。
【手続補正９】
【補正対象書類名】明細書
【補正対象項目名】０１１７
【補正方法】変更
【補正の内容】
【０１１７】
ここで否定結果が得られた場合、このことは最小距離を有する最小蓄積特徴データＤＳａｎと入力映像特徴データＴＳとが類似していないことを表しており、このとき制御部２は、ステップＳＰ２１へ戻り、次の入力映像特徴データＴＳについての処理を開始する。
【手続補正１０】
【補正対象書類名】明細書
【補正対象項目名】０１１９
【補正方法】変更
【補正の内容】
【０１１９】
ステップＳＰ２５において、制御部２は、画像テキストデータベース４２から最小蓄積特徴データＤＳａｎに対応する内容文字情報ＴＸｃを取得し、これを入力映像信号ＴＰに対応する内容文字情報ＴＸｃとしてＲＡＭ（図示せず）に一時記録すると、次のステップＳＰ２６へ移る。
【手続補正１１】
【補正対象書類名】明細書
【補正対象項目名】０１２０
【補正方法】変更
【補正の内容】
【０１２０】
ステップＳＰ２６において、制御部２は、記録処理中の入力撮像データにおける全ての入力映像特徴データＴＳに対する処理を終了したか否かについて判別し、否定結果が得られた場合、制御部２は、ステップＳＰ２１へ戻り、次の入力映像信号ＴＰに対する処理を開始する。
【手続補正１２】
【補正対象書類名】明細書
【補正対象項目名】０１２５
【補正方法】変更
【補正の内容】
【０１２５】
ステップＳＰ３０において、制御部２は、ステップＳＰ２９において選定されたタイトルを撮像データ管理リスト４３（図７）に登録すると、次のステップＳＰ３１に移って処理を終了する。
【手続補正１３】
【補正対象書類名】明細書
【補正対象項目名】０１６０
【補正方法】変更
【補正の内容】
【０１６０】
この場合には、画像テキストデータベース４２と、当該画像テキストデータベース４２に登録された代表特徴データＤＳｒとをサーバに記録し、各ハードディスクレコーダがネットワークを介してこのサーバにアクセスするようにする。これにより、各ハードディスクレコーダ１で画像テキストデータベース４２を生成する場合と比較して、より多くの代表画像５１に対応する画像テキスト情報ＴＸを登録してタイトル候補取得処理の際に、一段と近しい画像に対応する内容文字情報ＴＸｃを取得させることができると共に、ユーザの画像テキスト情報ＴＸを入力する負荷を軽減することができる。
【手続補正１４】
【補正対象書類名】図面
【補正対象項目名】図８
【補正方法】変更
【補正の内容】
【図８】
2008109289.tif 000001